(57)【要約】【課題】多床室の各病床で個別の空調の調節を可能にする。【解決手段】複数の病床２が設置された多床室１と、各病床の近傍で多床室の壁に配設された吹出し口７と、該吹出し口に連結され壁１０内に配設された給気チャンバー１１と、該給気チャンバーに給気ダクト６を介して接続された空調機５とを備えた構成。【選択図】図１
2004144418.tif 000002
【特許請求の範囲】
【請求項１】
複数の病床が設置された多床室と、各病床の近傍で多床室の壁に配設された吹出し口と、該吹出し口に連結され壁内に配設された給気チャンバーと、該給気チャンバーに給気ダクトを介して接続された空調機とを備えたことを特徴とする壁吹出し個別空調装置。
【請求項２】
前記給気チャンバーと吹出し口との間に風量調節ダンパーが設けられていることを特徴とする請求項１記載の壁吹出し個別空調装置。
【請求項３】
前記吹出し口には上下左右方向可変のルーバーが設けられていることを特徴とする請求項２記載の壁吹出し個別空調装置。
【請求項４】
前記給気チャンバーと吹出し口が壁の上下に配設され、上下の給気チャンバー間に風量調節ダンパーが設けられていることを特徴とする請求項１ないし３のいずれかに記載の壁吹出し個別空調装置。
【請求項５】
前記壁は、隣接する病床の枕元を仕切る袖壁であることを特徴とする請求項１ないし４のいずれかに記載の壁吹出し個別空調装置。
【請求項６】
隣接する多床室の病床において、給気ダクトおよび給気チャンバーを共有するように構成したことを特徴とする請求項１ないし４のいずれかに記載の壁吹出し個別空調装置。
【発明の詳細な説明】
【０００１】
【発明の属する技術分野】
本発明は、病院、医療福祉施設等の多床室における壁吹出し個別空調装置に関する。
【０００２】
【従来の技術】
病院、医療福祉施設等における居室の多くは、一つの部屋に複数のベッドが設置された多床室である。従来では多床室でも室内全体を空調していた。しかしながら、居室者の状態や、暑がりな人や寒がりな人など、人それぞれ温熱環境に対する要求が異なるため、温熱環境の面で全員が必ずしも快適とはならない。そこで、最近では多床室でも個別空調を行う方式が知られている。この個別空調方式としては、例えば、特開平１０−１８５２７７号公報のように個々にパーソナル空調機を設置する方式や、特開平６−１１１７５号公報のように天井設置の個別吹出し口方式がある。
【０００３】
【特許文献１】特開平１０−１８５２７７号公報
【特許文献２】特開平６−１１１７５号公報
【０００４】
【発明が解決しようとする課題】
しかしながら、特開平１０−１８５２７７号公報の方式を多床室に適用しようとすると、設置スペースに制約を受けるとともにコストが高いという問題を有し、また、特開平６−１１１７５号公報の方式を多床室に適用しようとすると、吹出し方向の細かな調整が困難であるとともに、天井設置の吹出し口では暖房時に暖められた空気は上昇するために、居住域に空調空気が届きにくいという問題を有し、居住域に届くように吹出し風速を増加させると不快なドラフトが生じてしまうという問題を有している。
【０００５】
本発明は、上記従来の問題を解決するものであって、多床室の各病床で個別の空調の調節を可能にし、また、冷房時と暖房時で理想的な気流分布および温度分布を達成することができる壁吹出し個別空調装置を提供することを目的とする。
【０００６】
【課題を解決するための手段】
そのために本発明の壁吹出し個別空調装置は、複数の病床が設置された多床室と、各病床の近傍で多床室の壁に配設された吹出し口と、該吹出し口に連結され壁内に配設された給気チャンバーと、該給気チャンバーに給気ダクトを介して接続された空調機とを備えたことを特徴とする。
【０００７】
【発明の実施の形態】
以下、本発明の実施の形態を図面を参照しつつ説明する。図１は、本発明に係る壁吹出し個別空調装置の１実施形態を示し、図（Ａ）は模式的平面図、図（Ｂ）は模式的断面図である。
【０００８】
図１において、病院、医療福祉施設等における多床室１には複数の病床２が設置されている。建物には、新鮮外気（ＯＡ）を取り入れ空調エア（ＳＡ）を給気ダクト３、吹出し口３ａを経て各階の多床室１のペリメータ側（窓Ｗ側）に給気するための外調機４が設置されている。また、建物各階に設置された空調機５は、多床室１のリターンエア（ＲＡ）を吸入し、空調エア（ＳＡ）を給気ダクト６、吹出し口７を経て各病床２の枕元に水平に給気される構成となっている。また、多床室１には排気（ＥＡ）を大気に排出する排気ファン９が設置されている。
なお、吹出し口７は、病床２を仕切るキュービクルカーテン８内に位置するように設けられている。
【０００９】
図２は、図１（Ｂ）でＹ−Ｙ線で切断し矢印方向に見た模式的断面図、図３は図２の要部拡大断面図である。
図１で説明した病床２に給気する給気ダクト６は、図２に示すように、多床室１の壁１０内に配設され、病床２の近傍に壁１０を貫通して吹出し口７が設けられている。図３に詳しく示すように、給気ダクト６と吹出し口７の間には給気チャンバー１１が設けられており、給気チャンバー１１と吹出し口７の間に防火シャッター兼風量調節ダンパー１２が設けられている。また、吹出し口７にはルーバー１３が設けられている。
【００１０】
図４は、図２の実施形態の変形例を示す模式的断面図である。本例においては、壁１０に付設したふくろ壁１４内に給気ダクト６を設けている。
【００１１】
図５は、図３の吹出し口７の変形例を示し、図（Ａ）は正面図、図（Ｂ）は側面図、図（Ｃ）は平面図、図（Ｄ）は作用を説明するための図である。吹出し口７のケース７ａ内に複数の水平羽根１３ａが設けられるとともに、各水平羽根１３ａの間に複数の垂直羽根１３ｂが設けられており、図（Ｂ）の矢印に示すように、ケース７ａは上下方向に回動可能にされ、また、図（Ｃ）の矢印に示すように、各垂直羽根１３ｂが水平方向に回動可能にされている。これにより吹出し口７からの気流を上下左右方向に可変にすることができる。また、最も下に配置された水平羽根１３ａを水平よりも下方向に回転可能に設け、吹出し口の斜め下方にも少量の気流を吹き出すことにより、人に近い場所に吹出し口を配置した場合でも気流感の少ない環境を実現することができる。
【００１２】
以上の構成により、本実施形態においては、各病床２に個別に空調エアを給気することができ、各病床２において風量調節ダンパー１２およびルーバー１３を操作することにより風量および風向を調節することができ、快適な医療環境を実現することができる。
【００１３】
図６は、本発明に係る壁吹出し個別空調装置の他の実施形態を示し、図（Ａ）は模式的平面図、図（Ｂ）、図（Ｃ）は模式的断面図、図（Ｄ）は要部拡大断面図である。なお、以下の説明においては前記実施形態と同一の構成については同一番号を付けて説明を省略する。
【００１４】
本実施形態においては、図（Ａ）〜（Ｃ）に示すように、給気ダクト６を各病床２の側部に位置するように配置し、給気ダクト６に上部吹出し口７ａと下部吹出し口７ｂを設けるようにしている。また、図（Ｄ）に示すように、各吹出し口７ａ、７ｂには、給気チャンバー１１を設けるとともに、各給気チャンバー１１と吹出し口７ａ、７ｂの間に防火シャッター兼風量調節ダンパー１２を設け、さらに上下の給気チャンバー１１、１１の間には風量調節ダンパー１５を設けている。
【００１５】
上記構成により、本実施形態においては、冷房時には、風量調節ダンパー１５を閉じ、風量調節ダンパー１２を調節して、上部吹出し口７ａから病床２に給気し、暖房時には、風量調節ダンパー１２を閉じ、風量調節ダンパー１５を調節して下部吹出し口７ｂから病床２に給気するので、冷房時と暖房時で吹出し方向・位置を変えることができ、より理想的な気流分布および温度分布を達成し、より快適な医療環境を実現することができる。なお、火災時には上下の防火シャッター１２、１２を閉じる。また、キュービクルカーテン８内に吹出し口７ａ、７ｂを設けているため、カーテンを閉じた状態でも気流分布の乱れがなく良好な空調が可能である。
【００１６】
図７は、図６の実施形態の変形例を示し図６（Ｄ）と同様の要部拡大断面図である。本例は、上部吹出し口７ａにおいては、風量調節ダンパー１２と防火シャッター１６を個別に設け、下部吹出し口７ｂにおいては防火シャッター１６のみを設けるようにしている。作用は図６と同様であるので説明を省略する。
【００１７】
図８は、本発明に係る壁吹出し個別空調装置の他の実施形態を示し、図（Ａ）は模式的平面図、図（Ｂ）、図（Ｃ）は模式的断面図である。
本実施形態においては、隣接する病床２の枕元に袖壁１７を突設し、袖壁１７内に給気ダクト６を設け、その先端に吹出し口７を設けるようにし、吹出し口７から病床２に斜め方向に空調エアを供給するようにしている。本実施形態によれば、袖壁１７により病床２に寝た患者同士の視線の遮蔽が可能であるため、プライバシーの面で良好な環境を提供できる。
【００１８】
図９は、図８の実施形態の変形例を示し、図（Ａ）は模式的平面図、図（Ｂ）、図（Ｃ）は模式的断面図である。本例においては、ペリメータ側（窓Ｗ側）は外調機４（図１）からの吹出し口１９のみとし、インテリア側のみに個別用の吹出し口７を設けている。
【００１９】
図１０は、図８の実施形態の変形例を示し、図（Ａ）は模式的平面図、図（Ｂ）、図（Ｃ）は模式的断面図である。本例においては、袖壁１７内に給気ダクト６、上部吹出し口７ａおよび下部吹出し口７ｂを設けている。作用は、図６と同様であるので、説明を省略する。
【００２０】
図１１は、本発明に係る壁吹出し個別空調装置の他の実施形態を示し、図（Ａ）は模式的平面図、図（Ｂ）は模式的断面図、図（Ｃ）は要部拡大断面図である。本実施形態においては、隣接する多床室１、１の病床２、２において、給気ダクト６および給気チャンバー１１を共有するように構成し、これによりダクト本数を減らすようにしている。給気チャンバー１１には、仕切板２０を設けることにより、吹出し口７、７間で音や光の伝達を防ぐようにしている。
【００２１】
図１２は、本発明に係る壁吹出し個別空調装置の他の実施形態を示し、図（Ａ）は模式的平面図、図（Ｂ）は模式的断面図である。本実施形態が図１の実施形態と相違する点は、建物各階に設置された空調機５が、新鮮外気（ＯＡ）を取り入れ空調エア（ＳＡ）を給気ダクト３、吹出し口３ａを経て各階の多床室１のペリメータ側（窓Ｗ側）に給気し、また、外調機４が、多床室１のリターンエア（ＲＡ）を吸入し、空調エア（ＳＡ）を給気ダクト６、吹出し口７を経て各病床２の枕元に水平に給気する点である。
【００２２】
【発明の効果】
以上の説明から明らかなように、本発明によれば、複数の病床が設置された多床室と、各病床の近傍で多床室の壁に配設された吹出し口と、該吹出し口に連結され壁内に配設された給気チャンバーと、該給気チャンバーに給気ダクトを介して接続された空調機とを備える構成のため、多床室の各病床で個別の空調の調節を可能にし、また、吹出し口を上下に設ける場合には、冷房時と暖房時で理想的な気流分布および温度分布を達成することができる。
【図面の簡単な説明】
【図１】本発明に係る壁吹出し個別空調装置の１実施形態を示し、図（Ａ）は模式的平面図、図（Ｂ）は模式的断面図である。
【図２】図１（Ｂ）でＹ−Ｙ線で切断し矢印方向に見た模式的断面図である。
【図３】図２の要部拡大断面図である。
【図４】図２の実施形態の変形例を示す模式的断面図である。
【図５】図３の吹出し口の変形例を示し、図（Ａ）は正面図、図（Ｂ）は側面図、図（Ｃ）は平面図図、（Ｄ）は作用を説明するための図である。
【図６】本発明の他の実施形態を示し、図（Ａ）は模式的平面図、図（Ｂ）、図（Ｃ）は模式的断面図、図（Ｄ）は要部拡大断面図である。
【図７】図６の実施形態の変形例を示し図６（Ｄ）と同様の要部拡大断面図である。
【図８】本発明に係る壁吹出し個別空調装置の他の実施形態を示し、図（Ａ）は模式的平面図、図（Ｂ）、図（Ｃ）は模式的断面図である。
【図９】図８の実施形態の変形例を示し、図（Ａ）は模式的平面図、図（Ｂ）、図（Ｃ）は模式的断面図である。
【図１０】図８の実施形態の変形例を示し、図（Ａ）は模式的平面図、図（Ｂ）、図（Ｃ）は模式的断面図である。
【図１１】本発明に係る壁吹出し個別空調装置の他の実施形態を示し、図（Ａ）は模式的平面図、図（Ｂ）は模式的断面図、図（Ｃ）は要部拡大断面図である。
【図１２】本発明に係る壁吹出し個別空調装置の他の実施形態を示し、図（Ａ）は模式的平面図、図（Ｂ）は模式的断面図である。
【符号の説明】
１…多床室、２…病床、５…空調機、６…給気ダクト、７…吹出し口、１０…壁１１…給気チャンバー、１２、１５…風量調節ダンパー、１７…袖壁
【図１】
2004144418.tif 000003
【図２】
2004144418.tif 000004
【図３】
2004144418.tif 000005
【図４】
2004144418.tif 000006
【図５】
2004144418.tif 000007
【図６】
2004144418.tif 000008
【図７】
2004144418.tif 000009
【図８】
2004144418.tif 000010
【図９】
2004144418.tif 000011
【図１０】
2004144418.tif 000012
【図１１】
2004144418.tif 000013
【図１２】
2004144418.tif 000014